(57)【特許請求の範囲】
【請求項１】
一端が開放され、他端が閉塞された透明の管状体と、
上記管状体に収納された、被検査溶液中の分析対象物を光学的に測定可能な試験片と、
上記管状体内を減圧状態に保つよう、上記管状体の開放端を封止する、上記被検査溶液を採取する採取針を突き刺し可能な弾性材料よりなる蓋体と、を備えた、試験器具において、
上記試験片は、上記管状体内の空間を、上記被検査溶液が上記試験片に供給される空間と、上記試験片が反応を呈する空間とに隔てる支持体によって支持されている、
ことを特徴とする試験器具。
【請求項２】
請求項１に記載の試験器具において、
上記管状体は、硬質材料で形成されてなる、
ことを特徴とする試験器具。
【請求項３】
請求項１に記載の試験器具において、
上記管状体内の開放端に取り付けられた蓋体により封止されている開口部側であって、上記支持体により隔てられた上記被検査溶液が上記試験片に供給される空間に、上記採取針から供給される被検査溶液を一時的に蓄えるための第１の空間を形成する隔壁を備え、
上記管状体の上記第１の空間以外の部分の、少なくとも一部もしくは全ては、外力により変形可能な軟質材料で形成されてなり、
上記第１の空間内のみを減圧状態に保ったまま、該第１の空間内に上記採取針を用いて上記被検査溶液を供給して一時的に蓄え、その後、上記管状体の外力による上記第１の空間の変形により上記隔壁が破壊され、上記被検査溶液が上記試験片に供給される、
ことを特徴とする試験器具。
【請求項４】
請求項１ないし請求項３のいずれか１項に記載の試験器具において、
上記支持体は、上記管状体内で、上記試験片を中空で支持する、
ことを特徴とする試験器具。
【請求項５】
請求項１ないし請求項４のいずれか１項に記載の試験器具において、
上記試験片は、薄板状であり、
上記管状体の上記試験片における反応を呈する部分に対応する部位は、上記試験片と平行な平面となるよう形成されたものである、
ことを特徴とする試験器具。
【請求項６】
請求項１ないし請求項５のいずれか１項に記載の試験器具において、
上記管状体の上記試験片における反応を呈する部分に対応する部位は、光学的に光ビームの形状を変形させるレンズ状である、
ことを特徴とする試験器具。
【請求項７】
請求項１ないし請求項６のいずれか１項に記載の試験器具において、
上記試験片を、イムノクロマトセンサで構成した、
ことを特徴とする試験器具。
【請求項８】
請求項１ないし請求項７のいずれか１項に記載の試験器具において、
上記試験器具は、試験毎に使い捨てるようにした、
ことを特徴とする試験器具。
【請求項９】
請求項１ないし請求項８のいずれか１項に記載の試験器具を装着し、該装着された試験器具の試験片における反応を光学的に読み取る、
ことを特徴とする測定装置。
【請求項１０】
請求項１に記載の試験器具を装着し、該装着された試験器具の管状体のうち、試験片が反応を呈する空間に位置する試験片における反応を光学的に読み取る、
ことを特徴とする測定装置。
【請求項１１】
請求項３に記載の試験器具を装着し、該装着された試験器具の管状体の、被検査溶液が試験片に供給される第１の空間を形成する部位に外力を与え、該管状体内の、一時的に上記被検査溶液を蓄えるための第１の空間を形成する隔壁を破壊し、該装着された試験器具のうち、試験片が反応を呈する空間に位置する試験片における反応を光学的に読み取る、
ことを特徴とする測定装置。
【請求項１２】
請求項１０または請求項１１に記載の測定装置において、
上記管状体の閉塞端側から挿入するための、該管状体の外形形状に沿った挿入口を備えた、
ことを特徴とする測定装置。
【請求項１３】
請求項１０ないし請求項１２のいずれか１項に記載の測定装置において、
レーザにより上記管状体内の試験片における反応を光学的に読み取るようにした、
ことを特徴とする測定装置。
【発明の詳細な説明】
【０００１】
【発明の属する技術分野】
本発明は、クロマトグラフィー試験片等を用いた検査を行うための試験器具及び測定装置に関するものである。
【０００２】
【従来の技術】
以下に従来のクロマトグラフィー測定装置の例について説明する。図５は分光光度計を用いた、従来のクロマトグラフィー測定装置の概略構成図である。
図５において、光源（ランプ）１から出射された光ビームは反射板２を介して回折格子３に入射される。回折格子３に入射された光ビームは光波長が選択され、さらに開口部４により光ビームが絞られた後、ガラス板５に入射される。ガラス板５を反射した光ビームは参照光６として第１の光電子増倍管７で受光される。一方、ガラス板５を透過した光ビームはクロマトグラフィ試験片８の一部に照射し、クロマトグラフィ試験片８からの散乱光９を第２の光電子増倍管１０で受光する。第１の光電子増倍管７と第２の光電子増倍管１０の出力信号はそれぞれＬｏｇ変換器２３、２４によりＬｏｇ変換され、差動増幅器２５は、第１の光電子増倍管７のＬｏｇ変換値から、第２の光電子増倍管１０のＬｏｇ変換値を減算し、吸光度信号２６として出力する。
【０００３】
クロマトグラフィ試験片８は、図５（ｂ）に示すように、抗原抗体反応を利用した免疫クロマトグラフィ試験片８は、被検査溶液を添加する部分である被検査溶液添加部１１と、被検査溶液を展開するための展開層１４とからなり、展開層１４は、その一部に、被検査溶液の浸透により移動し、流れてきた液体中に含まれる分析対象物に対して特異的に結合する物質を備えた標識試薬が保持された部分である標識試薬保持部１２と、他の一部に、標識試薬と分析対象物との結合、固定化が行われる試薬固定化部１３とを備えたものである。
【０００４】
このように構成された従来のクロマトグラフィ試験装置の動作について説明する。
まず、シリンジ（図示せず）等で被検査溶液添加部１１に被検査溶液が添加されると、展開層１４に被検査溶液が展開される。この時、標識試薬保持部１２に被検査溶液が達すると、標識試薬を溶出しながら、被検査溶液中に含まれる分析対象物と特異的に結合する。続いて、この結合物が試薬固定化部１３において固定化され、また固定化されない残りの標識試薬は、固定化されずに展開層１４の下流側に流出する。
【０００５】
次に、被検査溶液中に含まれる分析対象物の濃度を測定するために、図５（ａ）に示すように、クロマトグラフィ試験片８に対し、光源１からビームを照射する。光源１から出射されたビームは、反射板２を介して回折格子３に入射される。ここで、回折格子３により波長が決定され、回折格子３より出射されたビームは、開口４により絞られ、ガラス板５に入射される。ガラス板５に入射したビームは、ガラス板５を反射するものと透過するものに分けられる。ガラス板５を反射したビームは、参照光６として第１の光電子倍増管７で受光される。一方、ガラス板５を透過したビームは、免疫クロマトグラフィ試験片８にて反射される。そして、免疫クロマトグラフィ試験片８からの散乱光９は、第２の光電子増倍管１０で受光される。第１，第２の光電子増倍管７，１０からの出力はそれぞれ、Ｌｏｇ変換器２３，２４にてＬｏｇ変換され、その後、差動増幅器２５によりこれらの引き算結果を吸光度信号２６として出力される。なお、クロマトグラフィ試験片８の展開層１４と試薬固定化部１３の吸光度信号の差と、測定する試料濃度との検量線が予め算出されており、展開層１４と試料固定化部１３の吸光度信号の差を検出することにより、試料濃度の算出が行われる。
【０００６】
【発明が解決しようとする課題】
しかしながら、従来のクロマトグラフィ測定装置では、注射器または真空採血管を用いて採取した血液を、血液センサの被検査溶液添加部に添加しなければならず、この時、検査者が誤って注射針を検査者の指に刺してしまったり、注射針の先端の血液が飛散してしまったりして血液感染を生ずる恐れがあるため、慎重な作業が求められていた。また、血液を直接扱うため、被検査者の目前で検査をしにくく、検査後には検査器及び検査器具の汚れを清掃したり、残血の処理、注射器の洗浄が必要であった。
【０００７】
そこで、本発明は、上記問題点を解消するためになされたものであり、検査者が被検査溶液に接触することなく測定可能な試験器具及び測定装置を提供することを目的とする。
【０００８】
【課題を解決するための手段】
上記課題を解決するために、本発明の請求項１にかかる試験器具は、一端が開放され、他端が閉塞された透明の管状体と、上記管状体に収納された、被検査溶液中の分析対象物を光学的に測定可能な試験片と、上記管状体内を減圧状態に保つよう、上記管状体の開放端を封止する、上記被検査溶液を採取する採取針を突き刺し可能な弾性材料よりなる蓋体と、を備えた、試験器具において、上記試験片は、上記管状体内の空間を、上記被検査溶液が上記試験片に供給される空間と、上記試験片が反応を呈する空間とに隔てる支持体によって支持されている、ことを特徴とするものである。
【０００９】
本発明の請求項２にかかる試験器具は、請求項１に記載の試験器具において、上記管状体は、硬質材料で形成されてなることを特徴とするものである。
【００１０】
本発明の請求項３にかかる試験器具は、請求項１に記載の試験器具において、上記管状体内の開放端に取り付けられた蓋体により封止されている開口部側であって、上記支持体により隔てられた上記被検査溶液が上記試験片に供給される空間に、上記採取針から供給される被検査溶液を一時的に蓄えるための第１の空間を形成する隔壁を備え、上記管状体の上記第１の空間以外の部分の、少なくとも一部もしくは全ては、外力により変形可能な軟質材料で形成されてなり、上記第１の空間内のみを減圧状態に保ったまま、該第１の空間内に上記採取針を用いて上記被検査溶液を供給して一時的に蓄え、その後、上記管状体の外力による上記第１の空間の変形により上記隔壁が破壊され、上記被検査溶液が上記試験片に供給されることを特徴とするものである。
【００１１】
本発明の請求項４にかかる試験器具は、請求項１ないし請求項３のいずれか１項に記載の試験器具において、上記支持体は、上記管状体内で、上記試験片を中空で支持する、ことを特徴とするものである。
【００１３】
本発明の請求項５にかかる試験器具は、請求項１ないし請求項４のいずれか１項に記載の試験器具において、上記試験片は、薄板状であり、上記管状体の上記試験片における反応を呈する部分に対応する部位は、上記試験片と平行な平面となるよう形成されたものであることを特徴とするものである。
【００１４】
本発明の請求項６にかかる試験器具は、請求項１ないし請求項５のいずれか１項に記載の試験器具において、上記管状体の上記試験片における反応を呈する部分に対応する部位は、光学的に光ビームの形状を変形させるレンズ状であることを特徴とするものである。
【００１５】
本発明の請求項７にかかる試験器具は、請求項１ないし請求項６のいずれか１項に記載の試験器具において、上記試験片を、イムノクロマトセンサで構成したことを特徴とするものである。
【００１６】
本発明の請求項８にかかる試験器具は、請求項１ないし請求項７のいずれか１項に記載の試験器具において、上記試験器具は、試験毎に使い捨てるようにした、ことを特徴とするものである。
【００１７】
本発明の請求項９にかかる測定装置は、請求項１ないし請求項８のいずれか１項に記載の試験器具を装着し、該装着された試験器具の試験片における反応を光学的に読み取る、ことを特徴とするものである。
【００１８】
本発明の請求項１０にかかる測定装置は、請求項１に記載の試験器具を装着し、該装着された試験器具の管状体のうち、試験片が反応を呈する空間に位置する試験片における反応を光学的に読み取る、ことを特徴とするものである。
【００１９】
本発明の請求項１１にかかる測定装置は、請求項３に記載の試験器具を装着し、該装着された試験器具の管状体の、被検査溶液が試験片に供給される第１の空間を形成する部位に外力を与え、該管状体内の、一時的に上記被検査溶液を蓄えるための第１の空間を形成する隔壁を破壊し、該装着された試験器具のうち、試験片が反応を呈する空間に位置する試験片における反応を光学的に読み取る、ことを特徴とするものである。
【００２０】
本発明の請求項１２にかかる測定装置は、請求項１０または請求項１１に記載の測定装置において、上記管状体の閉塞端側から挿入するための、該管状体の外形形状に沿った挿入口を備えた、ことを特徴とするものである。
【００２１】
本発明の請求項１３にかかる測定装置は、請求項１０ないし請求項１２のいずれか１項に記載の測定装置において、レーザにより上記管状体内の試験片における反応を光学的に読み取るようにしたことを特徴とするものである。
【００２２】
【発明の実施の形態】
以下に、本発明の実施の形態について図面を参照しながら説明する。なお、ここで示す実施の形態はあくまでも一例であって、必ずしもこの実施の形態に限定されるものではない。
【００２３】
(実施の形態１)
以下に、本発明の実施の形態１による試験器具及び測定装置について図１及び図２を用いて説明する。
【００２４】
図１は、本実施の形態１による試験器具と測定装置の概略構成図であり、図１（ａ）は試料展開方向に対し垂直方向からみた試験器具及び測定装置の断面図であり、図１（ｂ）は試験器具を試料展開方向からみた断面図である。図において、図５と同一または相当する構成要素については同じ符号を用い、その説明を省略する。
【００２５】
図１において、試験器具１５は、透明の管状体３０の中に試験片８とその試験片８を支持する支持体３１を内蔵し、減圧状態に保ったままで弾性材料からなる蓋体１６で封止されている。支持体３１は、管状体３０の空間を被検査溶液の供給される空間と試験片８が反応を呈する空間とに隔てるように構成されており、被検査溶液が多く供給されても試験片８の反応を呈する部分まで飛び散らないようになっている。試験片８は、被検査溶液を添加する被検査溶液添加部１１と、被検査溶液を展開するための展開層１４と、展開層１４の一部に試薬を固定化することにより形成された試薬固定化部１３と、展開層１４の他の一部に、被検査溶液の展開により溶出可能な標識試薬を保持することにより形成された、標識試薬保持部１２とから構成されている。管状体３０は、試験片８における反応を呈する部分に対応する測定窓３２が、試験片８と平行となるように形成されている。なお、本実施の形態１では、管状体３０は硬質材料で形成されてなるものである。
【００２６】
測定装置は、光ビームを照射する半導体レーザ１７と、半導体レーザ１７から出射された光ビームを平行ビームに変換するコリメートレンズ１８と、コリメートレンズ１８を通過した光ビームを絞る開口４と、開口４を通過した光ビームを偏光するビームスプリッタ１９と、ビームスプリッタ１９にて反射された光ビームを参照光６としてモニタする第１のフォトダイオード２０と、ビームスプリッタ１９を通過した光ビームを測定装置にセットされた試験器具１５に導くシリンドリカルレンズ２１と、試験器具１５の内部の試験片８を反射した散乱光９を受光する第２のフォトダイオード２２と、第１のフォトダイオード２０にて受光された光ビームをＬｏｇ変換するＬｏｇ変換器２３と、第２のフォトダイオード２２にて受光された光ビームをＬｏｇ変換するＬｏｇ変換器２４と、Ｌｏｇ変換器２３の出力データとＬｏｇ変換器２４との出力データを引き算し、その結果を吸光度信号２６として出力する差動増幅器２５とを備えたものである。
【００２７】
このような構成の測定装置の外観図について図２に示した。図２において、測定装置２７の前面には測定結果等を表示する表示器２８と、試験器具１５を挿入するための挿入口２９が設けられている。この挿入口２９は試験器具１５の管状体３０の外形形状に合わせた形状となっており、一方向からのみ挿入可能で、誤挿入防止ができる。
【００２８】
以上のように構成された試験器具及び測定装置を用いた測定方法について図１及び図２を用いて説明する。
矢印３３の方向から採取針（図示せず）で被検査溶液添加部１１に被検査溶液が添加されると、展開層１４に被検査溶液が展開される。この時、被検査溶液が標識試薬保持部１２に達すると、標識試薬は溶出しながら、被検査溶液中に含まれる分析対象物と特異的に結合する。この結合物が試薬固定化部１３において固定化され、また残りの標識試薬は、固定化されずに展開層１４の下流側に流される。そして、被検査溶液を添加と同時に採取針を外し測定装置２７にセットする。
【００２９】
次に、半導体レーザ１７から試験器具１５に対し、光ビームを照射する。まず、半導体レーザ１７から出射された光ビームは、コリメートレンズ１８を通過することによって平行ビームに変換される。この平行ビームは、開口４を通過してビームスプリッタ１９に入射される。ここで、ビームスプリッタ１９で反射された一部の光ビームは、参照光６として第１のフォトダイオード２０で受光される。一方、ビームスプリッタ１９を透過した残りの光ビームは、シリンドリカルレンズ２１によって試験片８の試薬固定化部１３に集光され、照射される。さらに、この試験片８の試薬固定化部１３の表面からは散乱光９が発生し、第２のフォトダイオード２２で受光される。
【００３０】
次に、参照光６を受光した第１のフォトダイオード２０と散乱光９を受光した第２のフォトダイオード２２の出力はそれぞれＬｏｇ変換器２３、２４を通してＬｏｇ変換され、差動増幅器２５に入力され、吸光度信号２６として出力される。
【００３１】
このような実施の形態１によれば、採取針を突き刺した試験器具１５を、被検査溶液を採取するための場所、例えば、被検査者の皮膚に取り付けると同時に、被検査溶液を管状体３０内に自動的に採取して試験片８に供給し、試験器具１５をそのまま測定装置２７にセットし測定を行うようにしたので、検査者が被検査溶液に接触することなく測定が可能となる。
【００３２】
(実施の形態２)
以下に、本発明の実施の形態２による測定装置及び試験器具について図３を用いて説明する。
【００３３】
図３は実施の形態２による測定装置及び試験器具の概略構成図あり、図３（ａ）は試料展開方向に対し垂直方向からみた測定装置及び試験器具の断面図であり、図３（ｂ）は試料展開方向からみら試験器具の断面図である。図において、図２と同一または相当する構成要素については、同じ符号を用いその説明を省略する。
【００３４】
図３において、３５は測定窓であり、管状体３０の試験片８における反応を呈する部分に対応する部分で、レンズ状となっている。
【００３５】
以上のように構成された試験器具及び測定装置を用いた測定方法について説明する。
矢印３３の方向から採取針（図示せず）で被検査溶液添加部１１に被検査溶液が添加されると、展開層１４に被検査溶液が展開される。この時、被検査溶液が標識試薬保持部１２に達すると、標識試薬は溶出しながら、被検査溶液中に含まれる分析対象物と特異的に結合する。この結合物が試薬固定化部１３において固定化され、また残りの標識試薬は、固定化されずに展開層１４の下流側に流される。そして、被検査溶液を添加と同時に採取針を外し測定装置２７にセットする。
【００３６】
次に、半導体レーザ１７から試験器具１５に対し、光ビームを照射する。まず、半導体レーザ１７から出射された光ビームは、コリメートレンズ１８を通過することによって平行ビームに変換される。この平行ビームは、開口４を通過してビームスプリッタ１９に入射される。ここで、ビームスプリッタ１９で反射された一部の光ビームは、参照光６として第１のフォトダイオード２０で受光される。一方、ビームスプリッタ１９を透過した残りの光ビームは、測定窓３５によって試験片８の試薬固定化部１３に集光され、照射される。さらにこの試験片８の試薬固定化部１３の表面からは散乱光９が発生し、第２のフォトダイオード２２で受光される。
【００３７】
次に、参照光６を受光した第１のフォトダイオード２０と散乱光９を受光した第２のフォトダイオード２２の出力はそれぞれＬｏｇ変換器２３、２４を通してＬｏｇ変換され、差動増幅器２５に入力され、吸光度信号２６として出力される。
【００３８】
このような実施の形態２によれば、採取針を突き刺した試験器具１５を、被検査溶液を採取するための場所、例えば、被検査者の皮膚に取り付けると同時に、被検査溶液を管状体３０内に自動的に採取して試験片８に供給し、試験器具１５をそのまま測定装置２７にセットし測定を行うようにしたので、検査者が被検査溶液に接触することなく測定が可能となる。
【００３９】
また、管状体３０の測定窓３５をレンズ状としたことで、実施の形態１の測定装置２７で必要であったシリンドリカルレンズ２１を省略することができ、コストを削減できる。
【００４０】
(実施の形態３)
以下に、本発明の実施の形態３による測定装置及び試験器具について図４を用いて説明する。なお、本実施の形態１の構成と違う点は、試験器具１５において隔壁３４によって管状体３０の空間が試験片８のある空間と減圧された被検査溶液を一時蓄えておく空間に分離されていることである。
【００４１】
図４は、本実施の形態３による試験器具の構成を示す図である。
図４において、３４は隔壁であり、管状体３０内の開放端に取り付けられた蓋体１６により封止されている開口部側に、採取針から供給される被検査溶液を一時的に蓄えるための空間を形成する。なお、本実施の形態３において、管状体３０内の、上記隔壁３４により形成される空間以外の部分の、少なくとも一部もしくは全ては、外力により変形可能な軟質材料で形成されてなる。
【００４２】
以上のように構成された試験器具を用いた測定方法について説明する。
まず、採取針（図示せず）によって被検査溶液を、管状体３０内の隔壁３４内に供給し、一旦、隔壁３４内に蓄え、測定装置２７にセットする。なお、隔壁３４により形成される空間は減圧状態に保ったままである。
【００４３】
その後、測定装置２７は、試験器具１５がセットされたと同時に、管状体３０の上から外力を加え、隔壁３４を破壊する。隔壁３４が破壊されると、被検査溶液が被検査溶液添加部１１に供給され、展開層１４に被検査溶液が展開される。この時、被検査溶液が標識試薬保持部１２に達すると、標識試薬は溶出しながら、被検査溶液中に含まれる分析対象物と特異的に結合する。この結合物が試薬固定化部１３において固定化され、また残りの標識試薬は、固定化されずに展開層１４の下流側に流される。そして、被検査溶液の展開が終了すると、光学的手段により、該被検査溶液中の分析対象物の測定を行う。
【００４４】
このような実施の形態３によれば、採取針を突き刺した試験器具１５を、被検査溶液を採取するための場所、例えば、被検査者の皮膚に取り付けると同時に、被検査溶液を管状体３０内に自動的に採取するようにしたので、検査者が被検査溶液に接触することなく測定が可能となる。
【００４５】
また、その一部もしくは全てが外力により変形可能な軟質材料よりなる管状体３０内の、隔壁３４と蓋体１６との間に形成された空間に一時的に被検査溶液を蓄えた後、該管状体３０を測定装置２７にセットすると同時に、外力により隔壁３４を破壊して一時的に蓄えられている被検査溶液を試験片８に供給し、測定を行うようにしたので、検査者が被検査溶液に接触することなく測定が可能となり、また、測定装置２７では被検査溶液が添加された時間が明確となり、測定の精度が向上される。
【００４６】
【発明の効果】
以上のように、本発明の請求項１に記載の試験器具によれば、一端が開放され、他端が閉塞された透明の管状体と、上記管状体に収納された、被検査溶液中の分析対象物を光学的に測定可能な試験片と、上記管状体内を減圧状態に保つよう、上記管状体の開放端を封止する、上記被検査溶液を採取する採取針を突き刺し可能な弾性材料よりなる蓋体と、を備えた試験器具において、上記試験片は、上記管状体内の空間を、上記被検査溶液が上記試験片に供給される空間と、上記試験片が反応を呈する空間とに隔てる支持体によって支持されていることより、採取針を採取したい場所に取り付けると同時に、被検査溶液を管状体内に自動的に供給することができ、その結果、検査者が被検査溶液に接触することなく測定することができ、また、試験片上の被検査溶液添加部以外の部位、特に、試験片の反応を呈する部位に、検査者が誤って被検査溶液を添加したり、被検査溶液の量が多い場合に試験片の反応を呈する部分まで飛び散るのを防止できる。
【００４７】
本発明の請求項２に記載の試験器具によれば、請求項１に記載の試験器具において、上記管状体は、硬質材料で形成されてなることより、検査者が取り扱いしやすい試験器具を実現可能である。
【００４８】
本発明の請求項３に記載の試験器具によれば、請求項１に記載の試験器具において、上記管状体内の開放端に取り付けられた蓋体により封止されている開口部側であって、上記支持体により隔てられた上記被検査溶液が上記試験片に供給される空間に、上記採取針から供給される被検査溶液を一時的に蓄えるための第１の空間を形成する隔壁を備え、上記管状体の上記第１の空間以外の部分の、少なくとも一部もしくは全ては、外力により変形可能な軟質材料で形成されてなり、上記第１の空間内のみを減圧状態に保ったまま、該第１の空間内に上記採取針を用いて上記被検査溶液を供給して一時的に蓄え、その後、上記管状体の外力による上記第１の空間の変形により上記隔壁が破壊され、上記被検査溶液が上記試験片に供給されるようにしたので、被検査溶液の量が多い場合に試験片の反応を呈する部分まで飛び散ってしまうのを防止するとともに、簡単に被検査溶液を試験片に添加することができ、検査者の操作性が向上する。
【００４９】
本発明の請求項４に記載の試験器具によれば、請求項１ないし請求項３のいずれか１項に記載の試験器具において、上記支持体は、上記管状体内で、上記試験片を中空で支持するようにしたので、試験片の管状体への接触を防ぐことができる。
【００５１】
本発明の請求項５に記載の試験器具によれば、請求項１ないし請求項４のいずれか１項に記載の試験器具において、上記試験片は、薄板状であり、上記管状体の上記試験片における反応を呈する部分に対応する部位は、上記試験片と平行な平面となるよう形成されたものであることより、測定精度を向上させることができる。
【００５２】
本発明の請求項６に記載の試験器具によれば、請求項１ないし請求項５のいずれか１項に記載の試験器具において、上記管状体の上記試験片における反応を呈する部分に対応する部位は、光学的に光ビームの形状を変形させるレンズ状であることより、測定装置に必要であったレンズを省略することができ、その結果、コストを削減できる。
【００５３】
本発明の請求項７に記載の試験器具によれば、請求項１ないし請求項６のいずれか１項に記載の試験器具において、上記試験片を、イムノクロマトセンサで構成したので、血液検査等の免疫検査を行うことができる。
【００５４】
本発明の請求項８に記載の試験器具によれば、請求項１ないし請求項７のいずれか１項に記載の試験器具において、上記試験器具は、試験毎に使い捨てるようにしたので、測定終了後の試験器具の洗浄、残血の処理等の検査者の手間を省略し、操作性が向上する。
【００５５】
本発明の請求項９に記載の測定装置によれば、請求項１ないし請求項８のいずれか１項に記載の試験器具を装着し、該装着された試験器具の試験片における反応を光学的に読み取るようにしたので、検査者が被検査溶液に接触することなく、測定を行うことができる。
【００５６】
本発明の請求項１０に記載の測定装置によれば、請求項１に記載の試験器具を装着し、該装着された試験器具の管状体のうち、試験片が反応を呈する空間に位置する試験片における反応を光学的に読み取るようにしたので、試験器具を測定装置にセットすると同時に、簡単に被検査溶液を試験片に添加可能であり、また、被検査溶液の添加時間が明確となり、測定精度が向上する。
【００５７】
本発明の請求項１１に記載の測定装置によれば、請求項３に記載の試験器具を装着し、該装着された試験器具の管状体の、被検査溶液が試験片に供給される第１の空間を形成する部位に外力を与え、該管状体内の、一時的に上記被検査溶液を蓄えるための第１の空間を形成する隔壁を破壊し、該装着された試験器具のうち、試験片が反応を呈する空間に位置する試験片における反応を光学的に読み取るようにしたので、試験器具を測定装置にセットすると同時に、簡単に被検査溶液を試験片に添加可能であり、また、被検査溶液の添加時間が明確となり、測定精度が向上する。
【００５８】
本発明の請求項１２に記載の測定装置によれば、請求項１０または請求項１１に記載の測定装置において、上記管状体の閉塞端側から挿入するための、該管状体の外形形状に沿った挿入口を備えたことより、一方方向からのみ挿入可能で、誤挿入を防止することができる。
【００５９】
本発明の請求項１３に記載の測定装置によれば、請求項１０ないし請求項１２のいずれか１項に記載の測定装置において、レーザにより上記管状体内の試験片における反応を光学的に読み取るようにしたので、レーザを用いて測定を行うことができる。
【図面の簡単な説明】
【図１】本発明の実施の形態１における試験器具と測定装置の概略構成図である。
【図２】本発明の実施の形態１における測定装置の外観図である。
【図３】本発明の実施の形態２における試験器具の構成図である。
【図４】本発明の実施の形態３における試験器具の構成図である。
【図５】従来のクロマトグラフィー試験装置の概略構成図である。
【符号の説明】
１  ランプ
２  反射板
３  回折格子
４  開口
５  ガラス板
６  参照光
７  第１の光電子増倍管
８  試験片
９  散乱光
１０  第２の光電子増倍管
１１  披検査溶液添加部
１２  標識試薬保持部
１３  試薬固定化部
１４  展開層
１５  試験器具
１６  蓋体
１７  半導体レーザ
１８  コリメートレンズ
１９  ビームスプリッタ
２０  第１のフォトダイオード
２１  シリンドリカルレンズ
２２  第２のフォトダイオード
２３、２４  Ｌｏｇ変換器
２５  差動増幅器
２６  吸光度信号
２７  測定装置
２８  表示器
２９  挿入口
３０  管状体
３１  支持体
３２  測定窓
３３  矢印
３４  隔壁
３５  測定窓
【図１】
0003871545.tif 000002
【図２】
0003871545.tif 000003
【図３】
0003871545.tif 000004
【図４】
0003871545.tif 000005
【図５】
0003871545.tif 000006